(57)【要約】【課題】使用時に手間をかけず、揮発性液体を揮散可能な状態に速やかにセッティングすること。【解決手段】揮発性液体Ｗが充填された容器２と、該容器の口部１３内に配設された保持体３と、該保持体に保持され、揮発性液体を容器外まで吸い上げる吸上げ芯４と、吸上げ芯の上部を覆う蓋体５と、吸い上げられた揮発性液体を揮散させる揮散体６と、を備え、蓋体が、口部に装着される蓋本体３０と、操作片３５ａが形成され、該操作片の引き上げによって蓋本体から離反すると共に吸上げ芯の上部を開放させる引上部３１と、を有し、揮散体が、操作片の引き上げ前、蓋体の上方に保持されていると共に、操作片の引き上げ後、開放された吸上げ芯の上部に接触するように保持されている揮発性液体揮散装置１を提供する。【選択図】図１
2011010776.tif 000002
【特許請求の範囲】
【請求項１】
揮発性液体を大気中に揮散させる揮発性液体揮散装置であって、
前記揮発性液体が充填された容器と、
該容器の口部内に配設された保持体と、
該保持体に保持され、前記揮発性液体を前記容器外まで吸い上げる吸上げ芯と、
前記吸上げ芯の上部を覆う蓋体と、
吸い上げられた前記揮発性液体を揮散させる揮散体と、を備え、
前記蓋体は、前記口部に装着される蓋本体と、操作片が形成され、該操作片の引き上げによって蓋本体から離反すると共に前記吸上げ芯の上部を開放させる引上部と、を有し、
前記揮散体は、前記操作片の引き上げ前、前記蓋体の上方に保持されていると共に、前記操作片の引き上げ後、開放された前記吸上げ芯の上部に接触するように保持されていることを特徴とする揮発性液体揮散装置。
【請求項２】
請求項１に記載の揮発性液体揮散装置において、
前記口部の周囲を径方向外側から囲繞すると共に、前記容器の肩部を覆うように該容器に装着された肩カバーと、
該肩カバーに上方に向けて延設され、前記揮散体を保持するホルダと、を備えていることを特徴とする揮発性液体揮散装置。
【請求項３】
請求項１に記載の揮発性液体揮散装置において、
前記口部の周囲を径方向外側から囲繞すると共に、前記容器の肩部を覆うように前記容器に装着された肩カバーと、
該肩カバーに着脱自在に固定され、前記揮散体の上方を覆う有頂筒状に形成されると共に揮散孔が形成されたカバー体と、
該カバー体の頂壁部の下面に下方に向けて延設され、前記揮散体を保持するホルダと、を備えていることを特徴とする揮発性液体揮散装置。
【請求項４】
請求項２又は３に記載の揮発性液体揮散装置において、
前記引上部は、ヒンジ部を介して前記蓋本体に回動可能に連結されていることを特徴とする揮発性液体揮散装置。
【請求項５】
請求項４に記載の揮発性液体揮散装置において、
前記肩カバーには、前記操作片の引き上げ後、前記引上部を保持する保持部が設けられていることを特徴とする揮発性液体揮散装置。
【請求項６】
請求項１から５のいずれか１項に記載の揮発性液体揮散装置において、
前記引上部は、破断可能な弱化部を介して前記蓋本体に連結されていることを特徴とする揮発性液体揮散装置。
【請求項７】
請求項２に記載の揮発性液体揮散装置において、
前記肩カバーには、下方移動可能な可動部が設けられ、該可動部に前記ホルダが設けられていることを特徴とする揮発性液体揮散装置。
【請求項８】
請求項１から７のいずれか１項に記載の揮発性液体揮散装置において、
有底筒状に形成され、前記容器を取り出し可能に収容する外装容器を備えていることを特徴とする揮発性液体揮散装置。
【請求項９】
請求項８に記載の揮発性液体揮散装置において、
前記外装容器に着脱自在に固定され、外装容器の上部を覆う有頂筒状に形成されると共に、揮散孔が形成された外装カバーを備えていることを特徴とする揮発性液体揮散装置。
【発明の詳細な説明】
【技術分野】
【０００１】
本発明は、揮発性液体を揮散させる揮発性液体揮散装置に関するものである。
【背景技術】
【０００２】
芳香剤や消臭剤等の揮発性液体を大気中に揮散させる装置は、様々なものが提供されているが、その基本的構成は容器内に充填された揮発性液体を吸上げ芯で吸い上げ、この吸い上げた揮発性液体を容器外で揮発させて大気中に散布（揮散）する構成とされている（特許文献１参照）。
【先行技術文献】
【特許文献】
【０００３】
【特許文献１】実開平６−３８９９６号公報
【発明の概要】
【発明が解決しようとする課題】
【０００４】
ところで、揮発性液体は、大気中に触れたままにしておくと揮発が進行してしまうため、使用前の段階では、揮発性液体を収容する容器の口部をネジキャップ等で蓋をしておく構成が一般的である。
そのため、使用する際には、口部からネジキャップ等を取り外す手間が必要であった。特に、容器の上部には、揮発性液体の揮発成分を揮散させる揮散孔が形成されたカバー体が着脱可能に固定される場合が多い。この場合には、ネジキャップ等を取り外した後、カバー体を装着するといった手順となり、余計に手間のかかるものであった。
【０００５】
この発明は、このような事情を考慮してなされたもので、その目的は、使用時に手間をかけず、揮発性液体を揮散可能な状態に速やかにセッティングすることができる揮発性液体揮散装置を提供することである。
【課題を解決するための手段】
【０００６】
上記の目的を達成するために、この発明は以下の手段を提供している。
（１）本発明に係る揮発性液体揮散装置は、揮発性液体を大気中に揮散させる揮発性液体揮散装置であって、前記揮発性液体が充填された容器と、該容器の口部内に配設された保持体と、該保持体に保持され、前記揮発性液体を前記容器外まで吸い上げる吸上げ芯と、前記吸上げ芯の上部を覆う蓋体と、吸い上げられた前記揮発性液体を揮散させる揮散体と、を備え、前記蓋体が、前記口部に装着される蓋本体と、操作片が形成され、該操作片の引き上げによって蓋本体から離反すると共に前記吸上げ芯の上部を開放させる引上部と、を有し、前記揮散体が、前記操作片の引き上げ前、前記蓋体の上方に保持されていると共に、前記操作片の引き上げ後、開放された前記吸上げ芯の上部に接触するように保持されていることを特徴とする。
【０００７】
この発明に係る揮発性液体揮散装置においては、使用前の段階では、保持体に保持された吸上げ芯の上部が蓋体で覆われているうえ、蓋体を挟んで吸上げ芯と揮散体とが離間している。そのため、吸上げ芯によって吸い上げられた揮発性液体は、揮散体側に拡がることがないうえ、蓋体の外側の大気に触れることがない。従って、使用前の段階で、揮発性液体が蓋体の外側に揮散されないようになっている。
【０００８】
一方、使用する場合には、操作片を介して引上部を上方に引き上げ、蓋本体から離反させる。これにより、先ほどまで覆われていた吸上げ芯の上部を開放することができる。そして、この開放された吸上げ芯の上部に揮散体を接触させる。これにより、吸上げ芯によって容器外まで吸い上げられた揮発性液体は、揮散体の全体に拡がりながら大気に触れることで揮散される（揮発して大気中に散布される）。
【０００９】
このように、操作片を介して引上部を引き上げるだけで、揮発性液体を揮散させることができる。特に、従来のように口部からネジキャップ等を取り外すような手間がかかるものとは異なり、引上部を引き上げるだけの簡便な操作で、手間をかけずに揮発性液体を揮散可能な状態に速やかにセッティングすることができる。従って、非常に使い易く、利便性に優れている。
【００１０】
（２）本発明に係る揮発性液体揮散装置は、上記本発明の揮発性液体揮散装置において、前記口部の周囲を径方向外側から囲繞すると共に、前記容器の肩部を覆うように該容器に装着された肩カバーと、該肩カバーに上方に向けて延設され、前記揮散体を保持するホルダと、を備えていることを特徴とする。
【００１１】
この発明に係る揮発性液体揮散装置においては、容器に装着された肩カバーにホルダが設けられ、このホルダに揮散体が保持されている。従って、使用前の段階で揮散体を蓋体の上方に安定して保持することができると共に、使用時には揮散体を吸上げ芯の上部に安定的に接触させた状態で保持することができる。
【００１２】
（３）本発明に係る揮発性液体揮散装置は、上記本発明の揮発性液体揮散装置において、前記口部の周囲を径方向外側から囲繞すると共に、前記容器の肩部を覆うように前記容器に装着された肩カバーと、該肩カバーに着脱自在に固定され、前記揮散体の上方を覆う有頂筒状に形成されると共に揮散孔が形成されたカバー体と、該カバー体の頂壁部の下面に下方に向けて延設され、前記揮散体を保持するホルダと、を備えていることを特徴とする。
【００１３】
この発明に係る揮発性液体揮散装置においては、揮散体を保持するホルダが、肩カバーに着脱自在に固定されるカバー体に設けられているので、使用前の段階で揮散体を蓋体の上方に安定して保持することができる。また、使用時には、カバー体を肩カバーから取り外すことで、揮散体を蓋体の上方から一旦離間させることができるので、引上部の引き上げ操作を容易に行い易い。そして、その後再度カバー体を肩カバーに装着することで、揮散体を吸上げ芯の上部に接触するように容易にセットすることができる。
【００１４】
このように、カバー体に設けられたホルダに揮散体が保持されているので、より速やかに揮発性液体を揮散可能な状態にセッティングすることができる。なお、揮散体によって揮発した成分は、カバー体に形成された揮散孔を通じてカバー体の外側に確実に揮散される。
【００１５】
（４）本発明に係る揮発性液体揮散装置は、上記本発明の揮発性液体揮散装置において、前記引上部が、ヒンジ部を介して前記蓋本体に回動可能に連結されていることを特徴とする。
【００１６】
この発明に係る揮発性液体揮散装置においては、操作片を介して引上部を蓋本体から上方に引き上げると、該引上部はヒンジ部を介して回動しながら蓋本体から離反する。これにより、吸上げ芯の上部を開放することができる。特に、引き上げ後であっても、引上部はヒンジ部を介して蓋本体に連結されているので、両者が分離することがない。よって、引上部を廃棄する等の手間を省くことができる。
【００１７】
（５）本発明に係る揮発性液体揮散装置は、上記本発明の揮発性液体揮散装置において、前記肩カバーには、前記操作片の引き上げ後、前記引上部を保持する保持部が設けられていることを特徴とする。
【００１８】
この発明に係る揮発性液体揮散装置においては、引き上げ操作をした後の引上部を、肩カバーの保持部を利用して保持することができるので、該引上部のばたつき等をなくすことができるうえ、引上部が元の状態に弾性戻りする等して揮散体に干渉してしまうような可能性をなくすことができる。
【００１９】
（６）本発明に係る揮発性液体揮散装置は、上記本発明の揮発性液体揮散装置において、前記引上部が、破断可能な弱化部を介して前記蓋本体に連結されていることを特徴とする。
【００２０】
この発明に係る揮発性液体揮散装置においては、操作片を介して引上部を蓋本体から上方に引き上げると、弱化部が破断されながら該引上部が蓋本体から離反する。これにより、吸上げ芯の上部を開放することができる。特に、引き上げ操作を一度行うと、弱化部が破断されるので、該弱化部の状態を確認するだけで、使用前や流通段階で不意に或いは不正に引き上げ操作されたか否かを一目で判断することができる。このように、弱化部による改ざん防止が図られているので、製品への信頼性を高めることができる。
【００２１】
（７）本発明に係る揮発性液体揮散装置は、上記本発明の揮発性液体揮散装置において、前記肩カバーには、下方移動可能な可動部が設けられ、該可動部に前記ホルダが設けられていることを特徴とする。
【００２２】
この発明に係る揮発性液体揮散装置においては、操作片を介して引上部を引き上げ操作した後、可動部を下方移動させることで、ホルダを同時に下方移動させることができる。これにより、揮散体を吸上げ芯の上部に確実且つ速やかに接触させることができ、より速やかに揮発性液体を揮散可能な状態にセッティングすることができる。
特に、肩カバーから上方に向けて延設されているホルダの突出長さを短くすることができるので、より小型でコンパクト化した製品とすることができる。
【００２３】
（８）本発明に係る揮発性液体揮散装置は、上記本発明の揮発性液体揮散装置において、有底筒状に形成され、前記容器を取り出し可能に収容する外装容器を備えていることを特徴とする。
【００２４】
この発明に係る揮発性液体揮散装置においては、外装容器内に容器を収容するので、容器自体を隠すことができる。よって、容器自体を安価で簡易的に設計したとしても、外装容器のデザインで高品質な製品を実現することができる。つまり、外装容器のデザインで製品の高品質化を図ることが可能であるので、容器自体にコストを費やす必要がなく、単純に設計することができる。
【００２５】
（９）本発明に係る揮発性液体揮散装置は、上記本発明の揮発性液体揮散装置において、前記外装容器に着脱自在に固定され、外装容器の上部を覆う有頂筒状に形成されると共に、揮散孔が形成された外装カバーを備えていることを特徴とする。
【００２６】
この発明に係る揮発性液体揮散装置においては、外装容器と外装カバーとで、容器や揮散体等を完全に内部に収容して隠すことができるので、よりデザイン性の優れた製品とすることができる。なお、揮散体によって揮発した成分は、外装カバーに形成された揮散孔を通じて外装カバーの外側に確実に揮散される。
【発明の効果】
【００２７】
本発明に係る揮発性液体揮散装置によれば、使用時に引上部を引き上げるだけの簡便な操作で、手間をかけずに揮発性液体を揮散可能な状態に速やかにセッティングすることができる。
【図面の簡単な説明】
【００２８】
【図１】本発明に係る揮発性液体揮散装置の第１実施形態を示す図であって、使用前における縦断面図である。
【図２】図１に示す揮発性液体揮散装置の使用時における縦断面図である。
【図３】図１に示す容器の口部周辺を拡大した図である。
【図４】図１に示す肩カバー及び蓋体を上方から見た図である。
【図５】図１に示すカバー体を下から見上げた図である。
【図６】第１実施形態の揮発性液体揮散装置の変形例を示す図であって、引上キャップを蓋本体から切り離し可能に構成した蓋体を備えた構成を示す断面図である。
【図７】本発明に係る揮発性液体揮散装置の第２実施形態を示す図であって、使用前における縦断面図である（外装容器及び外装カバーに関しては不図示）。
【図８】図７に示す揮発性液体揮散装置の使用時における縦断面図である。
【図９】図７に示す肩カバーを上方から見た図である。
【図１０】本発明に係る揮発性液体揮散装置の第３実施形態を示す図であって、使用前における縦断面図である（外装容器及び外装カバーに関しては不図示）。
【図１１】図１０に示す肩カバーを上方から見た図である。
【図１２】図１０に示す揮発性液体揮散装置の使用時における縦断面図である。
【発明を実施するための形態】
【００２９】
（第１実施形態）
以下、本発明に係る揮発性液体揮散装置の第１実施形態について、図１から図５を参照して説明する。
本実施形態の揮発性液体揮散装置１は、図１及び図２に示すように、揮発性液体Ｗを揮散（揮発させて大気中に散布する）装置であって、容器２と、挿入筒（保持体）３と、吸上げ芯４と、蓋体５と、揮散体６と、外装容器７と、外装カバー８と、を備えている。
【００３０】
なお、図１は、使用前における揮発性液体揮散装置１の縦断面図である。図２は、使用時における揮発性液体揮散装置１の縦断面図である。また、各構成品のそれぞれの中心軸は、共通軸上に位置している。本実施形態では、この共通軸を容器軸Ｏといい、この容器軸Ｏに直交する方向を径方向、容器軸Ｏを中心に周回する方向を周方向とする。また、揮発性液体Ｗとしては、例えば、芳香剤、消臭剤や殺虫剤等である。
【００３１】
容器２は、外装容器７内に収容される交換可能な内装容器として機能するものであり、底部１０、胴部１１、肩部１２及び口部１３を有する有底筒状に形成され、内部に揮発性液体Ｗが充填されている。なお、本実施形態の容器２は、胴部１１が平面視長方形状に形成されている。また、本実施形態において、容器軸Ｏに沿って口部１２側を上側といい、底部１０側を下側という。
【００３２】
口部１３の内周面には、図３に示すように、挿入筒３の係合凸部２０ａが係合される係合凹部１３ａが形成されている。なお、図３は、図１に示す容器２の口部１３周辺を拡大した図である。口部１３の外周面には、蓋体５の雌ねじ部３２ａが螺合される雄ねじ部１３ｂが形成されていると共に、該雄ねじ部１３ｂと肩部１２との間に径方向外方に突出した環状の鍔部１３ｃが形成されている。
【００３３】
挿入筒３は、容器２の口部１３内に配設された部材であり、具体的には容器２の口部１３に装着されると共に、一部が口部１３内から下方に向かって容器２の内部に差し込まれている。
詳細に説明すると、挿入筒３は、口部１３内に嵌り、係合凹部１３ａに係合される係合凸部２０ａが外周面に形成された外筒２０と、該外筒２０の径方向内側に配設され、下方に向かって延在した内筒２１と、外筒２０の上端部と内筒２１の上端部とを連設すると共に口部１３の上端面に押し当たる環状のストッパ壁２２と、を備えている。
【００３４】
そして、外筒２０の係合凸部２０ａを口部１３に形成された係合凹部１３ａに係合することにより、挿入筒３を口部１３に装着可能とされている。この際、ストッパ壁２２が口部１３の上端面に押し当たるので、容器軸Ｏ方向に対して挿入筒３が位置決めされるようになっている。
内筒２１は、図１に示すように、下端部に向かうにしたがって一旦急激に縮径した後、なだらかに縮径する漏斗状に形成されている。そして、最も内径が細くなった下端部で主に吸上げ芯４を保持している。
【００３５】
この吸上げ芯４は、不織布等により長尺な円柱状に形成されており、揮発性液体Ｗを容器２外まで吸い上げる役割を担っている。そして、吸上げ芯４は、挿入筒３を貫入するように差し込まれ、上述したように内筒２１の下端部で主に保持されている。この際、吸上げ芯４は、下端部が容器２の底部１０付近に達し、上端部が口部１３よりも上方に突出するように保持されている。
【００３６】
ところで、内筒２１には、図１及び図３に示すように、容器２の内部と外部とを連通させる連通路２３が形成されている。これにより、この連通路２３を通じて容器２の外部から容器２の内部に空気を流通させることができ、容器２内の空気置換を行うことが可能とされている。従って、吸上げ芯４によって吸い上げられた揮発性液体Ｗの分だけ空気置換を行うことができ、容器２内が負圧になることを防止することができるようになっている。これにより、揮発性液体Ｗの吸い上げを良好に促すことが可能とされている。
【００３７】
蓋体５は、図１から図４に示すように、使用前の段階では吸上げ芯４の上部を覆い、使用時の段階では吸上げ芯４の上部を開放させる部材である。なお、図４は、図１に示す肩カバー４０及び蓋体５を上方から見た図である。
詳細に説明すると、この蓋体５は、口部１３に装着された蓋本体３０と、操作片３５ａが形成され、該操作片３５ａの引き上げによって蓋本体３０から離反すると共に吸上げ芯４の上部を開放させる引上キャップ（引上部）３１と、で構成されている。
【００３８】
蓋本体３０は、口部１３の雄ねじ部１３ｂに螺合される雌ねじ部３２ａが内周面に形成され、口部１３の外周面側に螺着される装着筒３２と、この装着筒３２の上方に位置し、吸上げ芯４の上部の周囲を径方向外側から囲むと共に、引上キャップ３１が離反可能に係合する被係合筒３３と、装着筒３２の上端部と被係合筒３３の下端部とを連設する環状のフランジ部３４と、を有している。
【００３９】
このように構成された蓋本体３０は、上述したように装着筒３２の螺着により口部１３に装着されている。この際、フランジ部３４は、挿入筒３のストッパ壁２２の上面に押し当たっている。これにより、容器軸Ｏ方向に対して蓋本体３０が位置決めされるようになっている。特に、蓋本体３０を口部１３に装着することで、ストッパ壁２２を口部１３の上端面との間で挟み込む形になるので、挿入筒３の装着状態をより安定化させることができる。
【００４０】
また、フランジ部３４の下面には、挿入筒３の内筒２１の内周面に嵌合する環状の嵌合突起３４ａ（図３参照）が下方に向けて延設されている。また、被係合筒３３の外周面には、径方向外方に向けて環状突起３３ａが突設されている。なお、蓋本体３０が口部１３に装着された際、吸上げ芯４は、被係合筒３３よりも上方に突出するように挿入筒３に保持されている。
【００４１】
引上キャップ３１は、平面視円形状に形成され、被係合筒３３及び吸上げ芯４の上部を覆う頂壁部３５と、この頂壁部３５の下面から下方に向けて延設され、被係合筒３３の外周面側に係合する係合筒３６と、頂壁部３５の下面から下方に向けて延設され、係合筒３６を径方向の外側から囲むと共に下端開口縁がフランジ部３４上に当接するキャップ筒３７と、を備えている。
【００４２】
このように構成された引上キャップ３１は、蓋本体３０の被係合筒３３に離反可能に係合されている。また、頂壁部３５の一部には、径方向外方に向けて鍔状に膨らんだ操作片３５ａが形成されている。これにより、指先を引っ掛けて操作片３５ａを引き上げ操作することが可能とされており、引上キャップ３１を蓋本体３０から容易に離反できるように設計されている。そして、引上キャップ３１が蓋本体３０から離反して、上方に引き上げられることで、吸上げ芯４の上部が開放されるようになっている。
【００４３】
ところで、本実施形態のキャップ筒３７の下端部には、フランジ部３４の上面に接触しながら径方向外方に延在したアーム板３８が連結されている。このアーム板３８は、容器軸Ｏを挟んで操作片３５ａとは反対方向に向けて延在すると共に、蓋本体３０の装着筒３２とフランジ部３４との接続部分にヒンジ部３９を介して回動可能に連結されている。
これにより、引上キャップ３１は、蓋本体３０から離反した後、ヒンジ部３９を中心に上方に跳ね上がるように回動しながら蓋本体３０から離れるようになっている。
【００４４】
また、係合筒３６の内周面には、蓋本体３０の被係合筒３３に形成された環状突起３３ａに係合する環状の係合爪３６ａ（図３参照）が形成されている。これにより、引上キャップ３１は、引き上げ操作される前に、蓋本体３０から容易に離反しないように設計されている。しかも、環状突起３３ａと係合爪３６ａとは、係合時に高いシール性を維持するように密に係合し合っている。そのため、引上キャップ３１を引き上げ操作する前に、環状突起３３ａと係合爪３６ａとの間を通じて空気が吸上げ芯４側に侵入しないようにようい設計されている。
【００４５】
しかも、頂壁部３５の下面には、被係合筒３３の内周面に嵌合する環状のシール突起３５ｂ（図３参照）が形成されている。これにより、より一層シール性が高められており上述した空気の侵入をより強固に防止している。
更に、頂壁部３５は、中心部が上方に膨らんだ膨出部３５ｃとされている。この膨出部３５ｃによって、吸上げ芯４の上部との間に隙間が開くように設計されている。
【００４６】
ところで、容器２には、口部１３の周囲を径方向外側から囲繞すると共に肩部１２を覆う肩カバー４０が装着されている。
この肩カバー４０は、口部１３の外周面に形成された鍔部１３ｃの周囲を囲む環状の内壁部４１と、この内壁部４１の径方向外側に位置すると共に、胴部１１よりも一回り大きく形成された平面視長方形状の外壁部４２と、内壁部４１の上端部と外壁部４２の上端部とを連設する天板部４３と、を備えている。
【００４７】
このように構成された肩カバー４０は、内壁部４１が鍔部１３ｃの外側に嵌合することで、口部１３に装着されている。この際、内壁部４１の内周面には、鍔部１３ｃの下側で径方向内側に突出する環状の凸部４１ａが形成されている。これにより、肩カバー４０は、上方に外れ難い設計とされている。
【００４８】
また、天板部４３上には、該天板部４３の外周縁から径方向内側に入った位置において、外周縁に沿うように周壁筒４４が形成されている。そして、この周壁筒４４の外周面には、径方向外方に向けて突出した環状の凸部４４ａが形成されている。また、天板部４３上には、短手方向Ｌ１に間隔を開けた状態で長手方向Ｌ２に平行に延在した補強壁４５が、周壁筒４４の内側に連設するように形成されている。
更に、天板部４３には、蓋本体３０から離反した引上キャップ３１の膨出部３５ｃが嵌合する嵌合孔（保持部）４６が形成されている。これにより、操作片３５ａの引き上げによって蓋本体３０から離反した引上キャップ３１を、肩カバー４０に保持することが可能とされている。
【００４９】
上述した肩カバー４０には、図１に示すように、有頂筒状に形成されたカバー体５０が着脱自在に固定されている。このカバー体５０は、揮散体６の上部を覆うカバーであり、周壁筒４４に外嵌された状態で天板部４３上に載置される周壁部５１と、周壁部５１の上端部を塞ぐ頂壁部５２とで構成されている。周壁部５１の内周面には、周壁筒４４の凸部４４ａに嵌合する環状の凹部５１ａが形成されている。
このように構成されたカバー体５０は、周壁部５１を天板部４３上に載置し、凸部４４ａに凹部５１ａを嵌合させることで肩カバー４０に着脱自在に固定されている。
【００５０】
ところで、頂壁部５２の下面には、図１及び図５に示すように、揮散体６を保持するホルダ６０が下方に向けて延設されている。なお、図５は、図１に示すカバー体５０を下から見上げた図である。
本実施形態のホルダ６０は、縦断面視Ｌ字形状に形成されており、揮散体６を挟んで長手方向Ｌ２に対向するように設けられている。そして、揮散体６を両側から抱え込みながら吊り下げるように保持している。
【００５１】
この際、操作片３５ａの引き上げ前、即ち、引上キャップ３１が蓋本体３０から離反する前の段階では、揮散体６は蓋体５の上方に保持されている。具体的には、引上キャップ３１上に載置された状態で保持されている。
一方、操作片３５ａの引き上げによって引上キャップ３１が蓋本体３０から離反して、吸上げ芯４の上部が開放された段階では、図２に示すように、揮散体６は吸上げ芯４の上部に接触するように保持されるようになっている。なお、吸上げ芯４は、蓋本体３０の被係合筒３３よりも上方に突出しているので、揮散体６が吸上げ芯４の上部に接触した際に、被係合筒３３と揮散体６との間に若干の隙間が開くようになっている。これにより、この隙間を通じて内筒２１に形成された連通路２３に向けて空気を流通させることが可能とされている。
【００５２】
揮散体６は、揮発性液体Ｗを含浸可能な多孔質の含浸体であり、略直方体状に形成されている。この揮散体６は、吸上げ芯４に接触すると、該吸上げ芯４によって吸い上げられた揮発性液体Ｗを含浸させると共に揮散させる役割を果している。
なお、本実施形態では、揮散体６はホルダ６０によって強固に保持されているわけではなく、容器軸Ｏ方向に移動可能な状態で保持されている。但し、ホルダ６０が縦断面視Ｌ字形状に形成されているので、揮散体６がホルダ６０から落下することはない。
【００５３】
また、本実施形態のカバー体５０は、図１及び図５に示すように、頂壁部５２及び周壁部５１のそれぞれに、平面視円形状の揮散孔５３が複数形成されている。従って、揮散体６によって大気中に揮散された揮発性液体Ｗの揮発成分は、揮散孔５３を通じてカバー体５０の外側に揮散されるようになっている。
【００５４】
外装容器７は、図１及び図２に示すように、上述した容器２を取り出し可能に収容する容器であって、容器２よりも一回り大きいサイズの有底筒状に形成されている。外装容器７の深さは、容器２の口部１３が露出する程度の深さに設計されている。外装容器７の上端開口縁には、径方向外側に突出した環状の凸部７ａが形成された周壁筒７ｂが立設されている。
【００５５】
外装カバー８は、外装容器７に着脱自在に固定され、外装容器７の上部を覆う有頂筒状に形成されたカバーである。
この外装カバー８は、外装容器７上に載置される周壁部６５と、周壁部６５の上端部を塞ぐ頂壁部６６とで構成されている。周壁部６５の下端部には、外装容器７の周壁筒７ｂの凸部７ａに嵌合する環状の凹部６５ａが形成されている。これにより外装カバー８は、凸部７ａに凹部６５ａを嵌合させることで外装容器７に着脱自在に固定されている。
【００５６】
そして、これら外装容器７と外装カバー８とで、容器２、揮散体６やカバー体５０等の各構成品を内部に収容して隠すことができるようになっている。また、外装容器７や外装カバー８には、図示しない装飾等が施されており、高級感及び高品質感が感じられる設計とされている。
また、外装カバー８には、カバー体５０と同様に頂壁部６６及び周壁部６５のそれぞれに、揮散孔６７が複数形成されている。従って、カバー体５０の外側に揮散された揮発性液体Ｗの揮発成分を、これら揮散孔６７を通じて外装カバー８の外側に揮散させることが可能とされている。
【００５７】
次に、このように構成された揮発性液体揮散装置１を使用して、揮発性液体Ｗを揮散させる場合について説明する。
はじめに、使用前の段階では、図１に示すように、引上キャップ３１が蓋本体３０に係合しているので、挿入筒３に保持された吸上げ芯４の上部が蓋体５で覆われている。また、蓋体５を挟んで吸上げ芯４と揮散体６とが離間している。そのため、吸上げ芯４によって吸い上げられた揮発性液体Ｗは、揮散体６側に拡がることがないうえ、蓋体５の外側の大気に触れることがない。従って、使用前の段階で、揮発性液体Ｗが蓋体５の外側に揮散されることがない。
【００５８】
また、引上キャップ３１の係合筒３６と蓋本体３０の被係合筒３３とは、環状突起３３ａと係合爪３６ａとの係合により確実に係合しているので、振動や衝撃等の影響で係合が解かれて、引上キャップ３１が浮き上がってしまうような現象が生じ難い。よって、この点においても、使用前に揮発性液体Ｗが蓋体５の外側に揮散されてしまうようなことがない。
【００５９】
続いて、使用する場合について説明する。
まず、外装カバー８を外装容器７から取り外し、カバー体５０を露出させる。続いて、露出したカバー体５０を肩カバー４０から取り外す。すると、ホルダ６０を介してこのカバー体５０に揮散体６が保持されているので、カバー体５０の取り外しによって、揮散体６を蓋体５上から離間させることができる。
【００６０】
次に、操作片３５ａを介して引上キャップ３１を上方に引き上げる、すると、引上キャップ３１は、ヒンジ部３９を中心に回動しながら蓋本体３０から離反する。これにより、図２に示すように、先ほどまで覆われていた吸上げ芯４の上部を開放することができる。この際、開放された吸上げ芯４の上部は、蓋本体３０の被係合筒３３よりも上方に突出した状態となっている。
【００６１】
また、引上キャップ３１に関しては、そのままヒンジ部３９を中心に略１８０度回動させる。そして、引上キャップ３１の膨出部３５ｃを、肩カバー４０の天板部４３に形成された嵌合孔４６に押し込んで嵌合させる。これにより、引き上げ操作した後の引上キャップ３１を、肩カバー４０に保持させておくことができる。
【００６２】
このように、吸上げ芯４の上部の開放と、引上キャップ３１の保持と、を行った後、先ほど取り外したカバー体５０を肩カバー４０に装着する。この際、カバー体５０の凹部５１ａを肩カバー４０の凸部４４ａに確実に嵌め込んで、カバー体５０を肩カバー４０に確実に装着させる。続いて、先ほど取り外した外装カバー８を外装容器７に装着する。このときも同様に、外装カバー８の凹部６５ａを外装容器７の凸部７ａに確実に嵌め込んで、外装カバー８を外装容器７に確実に装着させる。これにより、図２に示す状態となる。
【００６３】
ところで、カバー体５０を装着した際、揮散体６が容器軸Ｏに沿って下降するので、開放された吸上げ芯４の上部に接触する。この際、上述したように、吸上げ芯４の上部が被係合筒３３よりも上方に突出しているので、揮散体６と被係合筒３３との間には若干の隙間が確保された状態となる。よって、挿通路２３を利用して確実な空気置換を行える。
【００６４】
そして、揮散体６が吸上げ芯４の上部に接触することで、吸上げ芯４によって容器２外まで吸い上げられた揮発性液体Ｗは、揮散体６に含浸されて該揮散体６の全体に拡がる。また、これと同時に揮散体６の表面で大気に触れるので、揮発性液体Ｗが揮散される（即ち、大気中に触れて揮発し、揮発した成分が大気中に散布される）。この揮発成分は、揮散孔５３を通じてカバー体５０の外側に揮散された後、さらに揮散孔６７を通じて外装カバー８の外側に揮散される。
その結果、揮発性液体揮散装置１の周囲に揮散させることができる。
【００６５】
このように、操作片３５ａを介して引上キャップ３１を引き上げるだけで、揮発性液体Ｗを揮散させることができる。特に、従来のように口部１３からネジキャップ等を取り外すような手間がかかるものとは異なり、引上キャップ３１を引き上げるだけの簡便な操作で、手間をかけずに揮発性液体Ｗを揮散可能な状態に速やかにセッティングすることができる。従って、非常に使い易く、利便性に優れている。
【００６６】
また、本実施形態の揮発性液体揮散装置１によれば、以下の作用効果を奏することができる。
まず、引上キャップ３１は、ヒンジ部３９を介して蓋本体３０に連結されているので、引き上げ後であっても、両者が分離することがない。そのため、引上キャップ３１を廃棄するような手間を省くことができる。
しかも、嵌合孔４６を利用して引き上げ後の引上キャップ３１を保持できるので、引上キャップ３１のばたつき等をなくすことができるうえ、引上キャップ３１が元の状態に弾性戻りする等して揮散体６に干渉してしまうような可能性をなくすことができる。
【００６７】
また、揮散体６を保持するホルダ６０がカバー体５０に設けられているので、使用前の段階で揮散体６を蓋体５の上方に安定して保持することができる。また、使用時には、カバー体５０を肩カバー４０から取り外すことで、揮散体６を蓋体５の上方から一旦離間させることができるので、引上キャップ３１の引き上げ操作を容易に行い易い。そして、その後、再度カバー体５０を肩カバー４０に装着することで、揮散体６を吸上げ芯４の上部に接触するように容易にセットすることができる。
このように、カバー体５０に設けられたホルダ６０に揮散体６が保持されているので、速やかに揮発性液体Ｗを揮散可能な状態にセッティングすることができる。
【００６８】
また、使用時の段階では、外装容器７と外装カバー８とによって、容器２自体が完全に内部に隠されているので、容器２を安価で簡易的に設計したとしても、外装容器７や外装カバー８のデザインで高品質な製品を実現することができる。つまり、外装容器７や外装カバー８によって高級感や高品質感を十分に出すことができるので、容器２自体にコストを費やすことなく単純に設計することができる。従って、効率良く容器２を量産できるうえ、低コスト化に繋げることができる。
【００６９】
なお、本実施形態では、使用を開始した後、再度使用前の状態に戻して、使用を一旦停止することが可能である。この場合には、外装カバー８及びカバー体５０をそれぞれ取り外した後、引上キャップ３１の膨出部３５ｃを嵌合孔４６から離脱させる。そして、ヒンジ部３９を中心に引上キャップ３１を逆方向に回動させながら、係合筒３６を蓋本体３０の被係合筒３３に再度係合させる。この際、係合筒３６の係合爪３６ａを被係合筒３３の環状突起３３ａに確実に係合させる。その後、カバー体５０を肩カバー４０に装着すると共に、外装カバー８を外装容器７に装着させる。
【００７０】
このようにすることで、使用前の段階と同じように、吸上げ芯４の上部を蓋体５で覆うことができると共に、蓋体５を挟んで吸上げ芯４と揮散体６とを離間させることができるので、揮発性液体Ｗが揮発して蓋体５の外側に揮散されてしまうことを防止することができる。従って、揮発性液体Ｗを無駄に揮散させてしまうことなく、使用を一旦停止することが可能である。
【００７１】
なお、上述した第１実施形態において、ヒンジ部３９を介して引上キャップ３１を蓋本体３０に連結した構成としたが、図６に示すように、アーム板３８を、破断可能な薄肉部７０を介して蓋本体３０の装着筒３２とフランジ部３４との接続部分に連結させても構わない。
このように構成した場合には、操作片３５ａを介して引上キャップ３１を上方に引き上げ、蓋本体３０から離反させた後、薄肉部７０を破断させて引上キャップ３１を蓋本体３０から分離させることができる。従って、この場合には、肩カバー４０に引上キャップ３１を保持する嵌合孔４６が不要になるので、肩カバー４０の構成の簡略化を図ることができる。
【００７２】
なお、この場合であっても、引上キャップ３１が分離する点が異なるだけで、その他の作用効果は第１実施形態と同様の作用効果を奏することができる。なお、薄肉部７０に代えて、ミシン目のような弱化部を介して引上キャップ３１を蓋本体３０に連結しても構わない。
【００７３】
（第２実施形態）
次に、本発明に係る揮発性液体揮散装置の第２実施形態について、図７から図９を参照して説明する。なお、第２実施形態において第１実施形態と同一の構成については、同一の符号を付しその説明を省略する。
【００７４】
第２施形態と第１実施形態との異なる点は、カバー体５０を備えていない点、揮散体６が肩カバー８１側に保持されている点である。以下に、本実施形態の揮発性液体揮散装置８０について、詳細に説明する。
なお、図７は、使用前における揮発性液体揮散装置８０の縦断面図である。但し、外装容器７及び外装カバー８の図示を省略している。図８は、使用時における揮発性液体揮散装置８０の縦断面図である。図９は、図７に示す肩カバー８１を上方から見た図である。
【００７５】
本実施形態の揮発性液体揮散装置８０を構成する肩カバー８１は、図７から図９に示すように、第１実施形態のようにカバー体５０を装着するための周壁筒４４や補強壁４５が形成されておらず、内壁部４１と、外壁部４２と、天板部４３と、で構成されている。
そして、天板部４３の上面には、揮散体６を保持するホルダ８２が上方に向けて延設されている。本実施形態のホルダ８２は、揮散体６の四隅をそれぞれ径方向の外側から抑えるように、天板部４３の短手方向Ｌ１及び長手方向Ｌ２にそれぞれ間隔を開けた状態で４つ設けられている。これらホルダ８２は、横断面視Ｌ字形状に形成されているうえ、上端部に天板８２ａを有している。これにより、揮散体６は、上方に抜けないように設計されている。
なお、本実施形態においても、揮散体６はホルダ８２によって強固に保持されているわけではなく、容器軸Ｏ方向に移動可能な状態で保持されている。
【００７６】
このように構成された揮発性液体揮散装置８０を使用する場合には、外装カバー８を外装容器７から取り外すと、揮散体６及びホルダ８２が露出する。そして、４つのホルダ８２によって保持されている揮散体６を取り外す。その後、第１実施形態と同様に、操作片３５ａを介して引上キャップ３１を上方に引き上げて蓋本体３０から離反させて、吸上げ芯４の上部を開放させる。また、引上キャップ３１の膨出部３５ｃを嵌合孔４６に嵌め込んで、該引上キャップ３１を肩カバー８１に保持させる。続いて、揮散体６を４つのホルダ８２の内側に戻し、該ホルダ８２によって揮散体６を保持させる。そして、最後に外装カバー８を外装容器７に装着する。これにより、図８に示す状態となる。
【００７７】
本実施形態の場合も、揮散体６をホルダ８２に戻した時点で、該揮散体６は容器軸Ｏに沿って下降するので、開放された吸上げ芯４の上部に接触する。これにより、吸上げ芯４によって吸い上げた揮発性液体Ｗを、揮散体６を利用して揮散させることができる。
従って、本実施形態の場合であっても、揮散体６の保持方法が異なるだけで、第１実施形態と同様に、手間をかけずに揮発性液体Ｗを揮散可能な状態に速やかにセッティングすることができる。
【００７８】
特に、４つのホルダ８２が天板部４３上に設けられているので、使用前の段階で揮散体６を蓋体５の上方に安定して保持できると共に、使用時には揮散体６を吸上げ芯４の上部に安定的に接触させた状態で保持することができる。
【００７９】
（第３実施形態）
次に、本発明に係る揮発性液体揮散装置の第３実施形態について、図１０から図１２を参照して説明する。なお、第３実施形態において第２実施形態と同一の構成については、同一の符号を付しその説明を省略する。
【００８０】
第３施形態と第２実施形態との異なる点は、蓋体５の構成が異なる点、ホルダ８２が容器軸Ｏに沿って下方移動可能に構成されている点である。以下に、本実施形態の揮発性液体揮散装置９０について、詳細に説明する。
なお、図１０は、使用前における揮発性液体揮散装置９０の縦断面図である。但し、外装容器７及び外装カバー８の図示を省略している。図１１は、図１０に示す肩カバー１００を上方から見た図である。図１２は、使用時における揮発性液体揮散装置９０の縦断面図である。
【００８１】
本実施形態の揮発性液体揮散装置９０を構成する蓋体９１は、口部１３に装着された蓋本体９２と、操作片９９が形成され、該操作片９９の引き上げによって蓋本体９２から離反すると共に吸上げ芯４の上部を開放させるプルリング（引上部）９３と、で構成されている。
【００８２】
蓋本体９２は、図１０及び図１１に示すように、口部１３の雄ねじ部１３ｂに螺合される雌ねじ部９４ａが内周面に形成され、口部１３の外周面側に螺着される装着筒９４と、装着筒９４の上端部に連設された環状の頂壁部９５と、を有している。
頂壁部９５の上面には、径方向に延在する凸状のリブ９６が周方向に間隔を開けて複数形成されている。本実施形態では、容器軸Ｏを中心に４５度毎にリブ９６が形成されている。但し、この角度に限定されるものではない。
【００８３】
プルリング９３は、平面視円形状に形成され、破断可能な弱化部９７を介して頂壁部９５に連結されたプレート９８と、このプレート９８の上面に連結され、指先を引っ掛け可能なリング状の操作片９９と、を有している。
そして、操作片９９に指先を引っ掛けながら上方に引き上げることで、弱化部９７を破断させながらプレート９８を操作片９９と共に引き上げることができ、結果的にプルリング９３を蓋本体９２から離反させることが可能とされている。つまり、プレート９８と操作片９９とから構成されるプルリング９３は、弱化部９７を介して蓋本体９２に連結されており、引き上げ操作によって蓋本体９２から切り離し可能とされている。
【００８４】
なお、プレート９８の下面には、引き上げ操作される前の段階で、挿入筒３の内筒２１の内周面に嵌合する環状の嵌合突起９８ａが下方に向けて延設されている。また、プレート９８の中心は、上方に膨らんだ膨出部９８ｂとされており、吸上げ芯４の上部との間に隙間が開くようになっている。
【００８５】
本実施形態の肩カバー１００は、長手方向Ｌ２における天板部４３の両端にそれぞれ２つの開口が形成されている。そして、この開口内に収まるように、平面視Ｃ形状に形成された可動壁１０１が容器軸Ｏを挟んで対向するように配設されている。これら可動壁１０１は、容器軸Ｏ方向に反転可能な反転壁１０２を介して外壁部４２に連結されている。この反転壁１０２は、外壁部４２との接続部分を基点として、容器軸Ｏ方向に反転するようになっており、反転によって可動壁１０１を容器２の肩部１２に向けて下方移動させることが可能とされている。
つまり、これら可動壁１０１及び反転壁１０２は、下方移動可能な可動部１０３として機能する。なお、プルリング９３の引き上げ操作前の段階では、可動壁１０１は天板部４３に対して面一となるように調整されている。
【００８６】
そして、このように構成された可動壁１０１上にそれぞれホルダ８２が２つずつ設けられている。よって、可動壁１０１の下方移動に伴って、ホルダ８２も容器軸Ｏ方向に下方移動するようになっている。これにより、天板部４３から上方に向けて延設されているホルダ８２の突出長さを短くすることが可能とされている。
【００８７】
このように構成された揮発性液体揮散装置９０を使用する場合には、まず、４つのホルダ８２によって保持されている揮散体６を取り外す。そして、操作片９９に指先を引っ掛けながら上方に引き上げ、弱化部９７を破断させながらプレート９８を操作片９９と共に引き上げる。これにより、プルリング９３を蓋本体９２から切り離して離反させることができ、吸上げ芯４の上方を開放させることができる。
続いて、揮散体６を４つのホルダ８２の内側に戻し、これらホルダ８２によって揮散体６を保持させる。そして、最後に外装カバー８を外装容器７に装着する。これにより、図１２に示す状態となる。
【００８８】
本実施形態の場合も、揮散体６をホルダ８２に戻した時点で、該揮散体６は容器軸Ｏに沿って下降するので、開放された吸上げ芯４の上部に接触させることができる。しかも、外装カバー８を装着する際に、ホルダ８２は外装カバー８の頂壁部６６によって押し下げられる。これにより、反転壁１０２が下方に向けて反転し、可動壁１０１が容器軸Ｏ方向に沿って下方移動する。そのため、ホルダ８２を容器軸Ｏ方向に沿って下方移動させることができ、天板部４３から上方に向けて延設されている突出長さを短くすることができる。つまり、プルリング９３の高さ分だけ突出長さを短くすることができる。
従って、高さのあるプルリング９３を採用したとしても、外装カバー８の高さを第１実施形態及び第２実施形態とほぼ同じにすることができ、小型でコンパクト化した製品とすることができる。
【００８９】
このように、本実施形態の場合であっても、第２実施形態と同様に、手間をかけずに揮発性液体Ｗを揮散可能な状態に速やかにセッティングすることができると共に、吸上げ芯４によって吸い上げた揮発性液体Ｗを、揮散体６を利用して揮散させることができる。
特に、本実施形態の場合には、プルリング９３の引き上げ操作を一度行うと、弱化部９７が破断されるので、該弱化部９７の状態を確認するだけで、使用前や流通段階で不意に或いは不正にプルリング９３が引き上げ操作されたか否かを一目で判断することができる。このように、弱化部９７による改ざん防止が図られているので、製品への信頼性を高めることができる。
【００９０】
なお、外装カバー８を装着する際に、仮に揮散体６が吸上げ芯４を押し下げてしまい、揮散体６が蓋本体９２の頂壁部９５上に載ってしまった場合であっても、頂壁部９５上に複数のリブ９６が形成されているので、リブ９６とリブ９６との隙間を通じて空気の流通経路を確保することができる。従って、空気置換を確実に行うことができ、揮発性液体Ｗの揮散を確実に促すことができる。
【００９１】
なお、本発明の技術範囲は、上記実施形態に限定されるものではなく、本発明の趣旨を逸脱しない範囲において、種々の変更を加えることが可能である。
【００９２】
例えば、上記各実施形態では、使用時に容器２を外装容器７内に収容した場合を例に挙げて説明したが、外装容器７を用いなくても構わない。同様に、外装カバー８に関しても、必須なものではなく用いなくても構わない。
また、胴部１１が平面視長方形状に形成された容器２を例に挙げて説明したが、この場合に限定されるものではなく、平面視円形状や多角形状の容器としても構わない。
【００９３】
また、カバー体５０及び外装カバー８の周壁部５１、６５及び頂壁部５２、６６のそれぞれに揮散孔５３、６７を形成したが、周壁部５１、６５又は頂壁部５２、６６のいずれか一方に揮散孔５３、６７を形成しても構わない。この際、揮散孔５３、６７の形状は、円形に限定されるものではなく、楕円形状や多角形状であっても構わないし、スリット状でも構わない。
【符号の説明】
【００９４】
Ｗ…揮発性液体
１、８０、９０…揮発性液体揮散装置
２…容器
３…挿入筒（保持体）
４…吸上げ芯
５、９１…蓋体
６…揮散体
７…外装容器
８…外装カバー
１２…容器の肩部
１３…容器の口部
３０、９２…蓋体の蓋本体
３１…引上キャップ（蓋体の引上部）
３５ａ、９９…操作片
３９…ヒンジ部
４１、８１、１００…肩カバー
４６…嵌合孔（保持部）
５０…カバー体
５３…カバー体の揮散孔
６０、８２…ホルダ
６７…外装カバーの揮散孔
９３…プルリング（蓋体の引上部）
９７…弱化部
１０３…可動部
【図１】
2011010776.tif 000003
【図２】
2011010776.tif 000004
【図３】
2011010776.tif 000005
【図４】
2011010776.tif 000006
【図５】
2011010776.tif 000007
【図６】
2011010776.tif 000008
【図７】
2011010776.tif 000009
【図８】
2011010776.tif 000010
【図９】
2011010776.tif 000011
【図１０】
2011010776.tif 000012
【図１１】
2011010776.tif 000013
【図１２】
2011010776.tif 000014